(57)【特許請求の範囲】
【請求項１】
ネットワークを介して、ユーザが保有する録画再生装置と接続される情報処理装置において、
前記録画再生装置との情報を授受する入出力手段と、
複数のキーワードと、前記キーワードに対応するコマーシャルを含む放送コンテンツの放送コンテンツＩＤ、および前記キーワードと前記放送コンテンツの関連の強さを示す関連度からなる関連放送コンテンツ情報とを記録する第１の記録手段と、
前記放送コンテンツの放送コンテンツＩＤ、録画する放送コンテンツを取捨選択するための優先度、放送チャンネル、開始時間、および終了時間を含む放送コンテンツ情報を記録する第２の記録手段と、
前記第１の記録手段により記録されている複数の前記キーワードおよび前記関連放送コンテンツ情報を参照して、前記入出力手段により入力されたキーワードに対応する前記放送コンテンツを検索する検索手段と、
前記検索手段による検索結果を基に、入力された前記キーワードに対応する前記放送コンテンツを示す検索結果情報を生成する第１の生成手段と、
前記入出力手段により入力された、前記検索結果情報に基づく前記放送コンテンツの録画を依頼する録画依頼情報を示す録画依頼メッセージを基に、前記第２の記録手段により記録された前記放送コンテンツ情報から所定の前記放送コンテンツに対応する前記放送コンテンツ情報を抽出し、前記録画再生装置を制御して前記放送コンテンツを録画させるための録画リストを生成する第２の生成手段と
を備えることを特徴とする情報処理装置。
【請求項２】
前記録画依頼メッセージは、前記キーワードで指定された前記ユーザの録画依頼情報、もしくは、前記放送コンテンツ毎に指定された前記ユーザの録画依頼情報である
ことを特徴とする請求項１に記載の情報処理装置。
【請求項３】
前記録画依頼メッセージを記録する第３の記録手段を更に備え、
前記録画依頼メッセージが、前記キーワードで指定された前記ユーザの録画依頼情報である場合、
前記第３の記録手段は、前記録画依頼メッセージを記録し、
前記第２の生成手段は、前記第３の記録手段により記録されている前記録画依頼メッセージ、並びに、前記第１の記録手段により記録されている複数の前記キーワードおよび前記関連放送コンテンツ情報を定期的に参照して、前記録画リストを生成し、
前記録画依頼メッセージが、前記放送コンテンツ毎に指定された前記ユーザの録画依頼情報である場合、前記第２の生成手段は、前記入出力手段により入力された、前記録画依頼メッセージに基づいて、前記録画リストを生成する
ことを特徴とする請求項２に記載の情報処理装置。
【請求項４】
前記入出力手段は、前記第２の生成手段により生成された前記録画リストに含まれている前記放送コンテンツに対応するコンテンツデータの、前記録画再生装置へ出力する
ことを特徴とする請求項１に記載の情報処理装置。
【請求項５】
前記第1の生成手段により生成された前記検索結果情報は、ＨＴＭＬドキュメントである
ことを特徴とする請求項１に記載の情報処理装置。
【請求項６】
ネットワークを介して、ユーザが保有する録画再生装置と接続される情報処理装置の情報処理方法において、
前記録画再生装置との情報を授受する入出力ステップと、
複数のキーワードと、前記キーワードに対応するコマーシャルを含む放送コンテンツの放送コンテンツＩＤ、および前記キーワードと前記放送コンテンツの関連の強さを示す関連度からなる関連放送コンテンツ情報とを記録する第１の記録ステップと、
前記放送コンテンツの放送コンテンツＩＤ、録画する放送コンテンツを取捨選択するための優先度、放送チャンネル、開始時間、および終了時間を含む放送コンテンツ情報を記録する第２の記録ステップと、
前記第１の記録ステップの処理により記録されている複数の前記キーワードおよび前記関連放送コンテンツ情報を参照して、前記入出力ステップの処理により入力されたキーワードに対応する前記放送コンテンツを検索する検索ステップと、
前記検索ステップの処理による検索結果を基に、入力された前記キーワードに対応する前記放送コンテンツを示す検索結果情報を生成する第１の生成ステップと、
前記入出力ステップの処理により入力された、前記検索結果情報に基づく前記放送コンテンツの録画を依頼する録画依頼情報を示す録画依頼メッセージを基に、前記第２の記録ステップの処理により記録された前記放送コンテンツ情報から所定の前記放送コンテンツに対応する前記放送コンテンツ情報を抽出し、前記録画再生装置を制御して前記放送コンテンツを録画させるための録画リストを生成する第２の生成ステップと
を含むことを特徴とする情報処理方法。
【請求項７】
ネットワークを介して、サービス提供者が有する情報処理装置と接続される録画再生装置において、
前記情報処理装置との情報を授受する入出力手段と、
前記入出力手段により入力された検索結果情報を表示する表示手段と、
前記表示手段により表示された前記検索結果情報を参照してユーザが行う操作を示す信号を入力する入力手段と、
前記入力手段により入力された前記ユーザの操作を示す信号を基に、前記情報処理装置に送信するための録画依頼情報を示す録画依頼メッセージを生成する生成手段と、
コマーシャルを含む放送コンテンツを取得する取得手段と、
前記入出力手段により入力された前記放送コンテンツを録画させるための録画リストに従って、前記取得手段により取得された前記放送コンテンツの録画を実行する録画手段と
を備えることを特徴とする録画再生装置。
【請求項８】
前記生成手段により生成された前記録画依頼メッセージは、キーワードで指定された前記ユーザの録画依頼情報、もしくは、前記放送コンテンツ毎に指定された前記ユーザの録画依頼情報である
ことを特徴とする請求項７に記載の録画再生装置。
【請求項９】
前記表示手段により表示される前記検索結果情報は、ＨＴＭＬドキュメントである
ことを特徴とする請求項７に記載の録画再生装置。
【請求項１０】
ネットワークを介して、サービス提供者が有する情報処理装置と接続される録画再生装置の録画再生方法において、
前記情報処理装置との情報を授受する入出力ステップと、
前記入出力ステップの処理により入力された検索結果情報を表示する表示ステップと、
前記表示ステップの処理により表示された前記検索結果情報を参照してユーザが行う操作を示す信号を入力する入力ステップと、
前記入力ステップの処理により入力された前記ユーザの操作を示す信号を基に、前記情報処理装置に送信するための録画依頼情報を示す録画依頼メッセージを生成する生成ステップと、
コマーシャルを含む放送コンテンツを取得する取得ステップと、
前記入出力ステップの処理により入力された前記放送コンテンツを録画させるための録画リストに従って、前記取得ステップの処理により取得された前記放送コンテンツの録画を実行する録画ステップと
を含むことを特徴とする録画再生方法。
【請求項１１】
ネットワークを介して接続される、サービス提供者が保有する情報処理装置と、ユーザが保有する録画再生装置とからなるサービス提供システムにおいて、
前記情報処理装置は、
前記録画再生装置との情報を授受する第１の入出力手段と、
複数のキーワードと、前記キーワードに対応するコマーシャルを含む放送コンテンツの放送コンテンツＩＤ、および前記キーワードと前記放送コンテンツの関連の強さを示す関連度からなる関連放送コンテンツ情報とを記録する第１の記録手段と、
前記放送コンテンツの放送コンテンツＩＤ、録画する放送コンテンツを取捨選択するための優先度、放送チャンネル、開始時間、および終了時間を含む放送コンテンツ情報を記録する第２の記録手段と、
前記第１の記録手段により記録されている複数の前記キーワードおよび前記関連放送コンテンツ情報を参照して、前記第１の入出力手段により入力されたキーワードに対応する前記放送コンテンツを検索する検索手段と、
前記検索手段による検索結果を基に、入力された前記キーワードに対応する前記放送コンテンツ前記放送コンテンツを示す検索結果情報を生成する第１の生成手段と、
前記第１の入出力手段により入力された、前記検索結果情報に基づく前記放送コンテンツの録画を依頼する録画依頼情報を示す録画依頼メッセージを基に、前記第２の記録手段により記録された前記放送コンテンツ情報から所定の前記放送コンテンツに対応する前記放送コンテンツ情報を抽出し、前記録画再生装置を制御して前記放送コンテンツを録画させるための録画リストを生成する第２の生成手段と
を備え、
前記録画再生装置は、
前記情報処理装置との情報を授受する第２の入出力手段と、
前記第２を入出力手段により入力された、前記検索結果情報を表示する表示手段と、
前記表示手段により表示された前記検索結果情報を参照してユーザが行う前記操作を示す信号の入力する入力手段と、
前記放送コンテンツを取得する取得手段と、
前記第２の入出力手段により入力された前記録画リストに従って、前記取得手段により取得された前記放送コンテンツの録画を実行する録画手段と
を備える
ことを特徴とするサービス提供システム。
【発明の詳細な説明】
【０００１】
【発明の属する技術分野】
本発明は、情報処理装置および情報処理方法、録画再生装置および録画再生方法、並びにサービス提供システムに関し、特に、視聴者が簡単な操作を実行するだけで、番組単位の放送コンテンツのみならず、ＣＭも対象として、視聴者の要求に基づいた放送コンテンツの検索・録画支援サービスを提供することができる情報処理装置および情報処理方法、録画再生装置および録画再生方法、並びにサービス提供システムに関する。
【０００２】
【従来の技術】
視聴者が、興味ある情報を含む放送コンテンツ（例えば、俳優Aが登場する番組）を知りたい、そしてそれを録画しておきたいと思うのは一般的なことである。そのような場合、従来の録画支援サービスでは、視聴者は放送時間とチャンネルに基づいて整理された番組表を走査し、所望する情報を含む番組を探していた。
【０００３】
しかしながら、放送のデジタル化により番組数が膨大になると、視聴者が従来の録画支援サービスにより所望の放送コンテンツを探し出すのは困難になる。この課題を解決する手段として、視聴者が指定した情報を含む放送コンテンツを検索して録画するサービスが登場している。
【０００４】
【発明が解決しようとする課題】
しかしながら、これらのサービスで検索され、録画可能となるのは、番組単位であり、ＣＭはその対象外である。例えば新車購入を検討している視聴者にとって、新車のＣＭは所望する情報を含む放送コンテンツとなるはずであるが、従来の放送コンテンツ検索・録画支援サービスでは、新車のＣＭは録画することができない。ＣＭを録画する機能は、放送コンテンツのスポンサーに利益をもたらすが、従来のサービスでは、そのようなスポンサーおよび視聴者双方にとっての利益になるサービスを提供できず、そのため放送コンテンツ提供者からの支援を得ることができない。
【０００５】
本発明はこのような状況に鑑みてなされたものであり、視聴者が簡単な操作を実行するだけで、番組単位の放送コンテンツのみならず、ＣＭも対象として、視聴者の要求に基づいた放送コンテンツの検索・録画支援サービスを提供することができるようにするものである。
【０００６】
【課題を解決するための手段】
本発明の情報処理装置は、録画再生装置との情報を授受する入出力手段と、複数のキーワードと、キーワードに対応するコマーシャルを含む放送コンテンツの放送コンテンツＩＤ、およびキーワードと放送コンテンツの関連の強さを示す関連度からなる関連放送コンテンツ情報とを記録する第１の記録手段と、
放送コンテンツの放送コンテンツＩＤ、録画する放送コンテンツを取捨選択するための優先度、放送チャンネル、開始時間、および終了時間を含む放送コンテンツ情報を記録する第２の記録手段と、第１の記録手段により記録されている複数のキーワードおよび関連放送コンテンツ情報を参照して、入出力手段により入力されたキーワードに対応する放送コンテンツを検索する検索手段と、検索手段による検索結果を基に、入力されたキーワードに対応する放送コンテンツを示す検索結果情報を生成する第１の生成手段と、入出力手段により入力された、検索結果情報に基づく放送コンテンツの録画を依頼する録画依頼情報を示す録画依頼メッセージを基に、第２の記録手段により記録された放送コンテンツ情報から所定の放送コンテンツに対応する放送コンテンツ情報を抽出し、録画再生装置を制御して放送コンテンツを録画させるための録画リストを生成する第２の生成手段とを備えることを特徴とする。
【０００８】
録画依頼メッセージは、キーワードで指定されたユーザの録画依頼情報、もしくは、放送コンテンツ毎に指定されたユーザの録画依頼情報であるものとすることができる。
【０００９】
録画依頼メッセージを記録する第３の記録手段を更に備え、録画依頼メッセージが、キーワードで指定されたユーザの録画依頼情報である場合、第３の記録手段は、録画依頼メッセージを記録し、第２の生成手段は、第３の記録手段により記録されている録画依頼メッセージ、並びに、第１の記録手段により記録されている複数のキーワードおよび関連放送コンテンツ情報を定期的に参照して、録画リストを生成し、録画依頼メッセージが、放送コンテンツ毎に指定されたユーザの録画依頼情報である場合、第２の生成手段は、入出力手段により入力された、録画依頼メッセージに基づいて、録画リストを生成させることができる。
【００１１】
入出力手段は、第２の生成手段により生成された録画リストに含まれている放送コンテンツに対応するコンテンツデータの、録画再生装置への出力を制御させることができる。
【００１２】
第1の生成手段により生成された検索結果情報は、ＨＴＭＬドキュメントであるものとすることができる。
【００１３】
本発明の情報処理方法は、録画再生装置との情報を授受する入出力ステップと、複数のキーワードと、キーワードに対応するコマーシャルを含む放送コンテンツの放送コンテンツＩＤ、およびキーワードと放送コンテンツの関連の強さを示す関連度からなる関連放送コンテンツ情報とを記録する第１の記録ステップと、放送コンテンツの放送コンテンツＩＤ、録画する放送コンテンツを取捨選択するための優先度、放送チャンネル、開始時間、および終了時間を含む放送コンテンツ情報を記録する第２の記録ステップと、第１の記録ステップの処理により記録されている複数のキーワードおよび関連放送コンテンツ情報を参照して、入出力ステップの処理により入力されたキーワードに対応する放送コンテンツを検索する検索ステップと、検索ステップの処理による検索結果を基に、入力されたキーワードに対応する放送コンテンツを示す検索結果情報を生成する第１の生成ステップと、入出力ステップの処理により入力された、検索結果情報に基づく放送コンテンツの録画を依頼する録画依頼情報を示す録画依頼メッセージを基に、第２の記録ステップの処理により記録された放送コンテンツ情報から所定の放送コンテンツに対応する放送コンテンツ情報を抽出し、録画再生装置を制御して放送コンテンツを録画させるための録画リストを生成する第２の生成ステップとを含むことを特徴とする。
【００１４】
本発明の録画再生装置は、情報処理装置との情報を授受する入出力手段と、入出力手段により入力された検索結果情報を表示する表示手段と、表示手段により表示された検索結果情報を参照してユーザが行う操作を示す信号を入力する入力手段と、入力手段により入力されたユーザの操作を示す信号を基に、情報処理装置に送信するための録画依頼情報を示す録画依頼メッセージを生成する生成手段と、コマーシャルを含む放送コンテンツを取得する取得手段と、入出力手段により入力された放送コンテンツを録画させるための録画リストに従って、取得手段により取得された放送コンテンツの録画を実行する録画手段とを備えることを特徴とする。
【００１６】
生成手段により生成された録画依頼メッセージは、キーワードで指定されたユーザの録画依頼情報、もしくは、放送コンテンツ毎に指定されたユーザの録画依頼情報であるものとすることができる。
【００１７】
表示手段により表示される検索結果情報は、ＨＴＭＬドキュメントであるものとすることができる。
【００１８】
本発明の録画再生方法は、情報処理装置との情報を授受する入出力ステップと、入出力ステップの処理により入力された検索結果情報を表示する表示ステップと、表示ステップの処理により表示された検索結果情報を参照してユーザが行う操作を示す信号を入力する入力ステップと、入力ステップの処理により入力されたユーザの操作を示す信号を基に、情報処理装置に送信するための録画依頼情報を示す録画依頼メッセージを生成する生成ステップと、コマーシャルを含む放送コンテンツを取得する取得ステップと、入出力ステップの処理により入力された放送コンテンツを録画させるための録画リストに従って、取得ステップの処理により取得された放送コンテンツの録画を実行する録画ステップとを含むことを特徴とする。
【００１９】
本発明のサービス提供システムは、情報処理装置が、録画再生装置との情報を授受する第１の入出力手段と、複数のキーワードと、キーワードに対応するコマーシャルを含む放送コンテンツの放送コンテンツＩＤ、およびキーワードと放送コンテンツの関連の強さを示す関連度からなる関連放送コンテンツ情報とを記録する第１の記録手段と、放送コンテンツの放送コンテンツＩＤ、録画する放送コンテンツを取捨選択するための優先度、放送チャンネル、開始時間、および終了時間を含む放送コンテンツ情報を記録する第２の記録手段と、第１の記録手段により記録されている複数のキーワードおよび関連放送コンテンツ情報を参照して、第１の入出力手段により入力されたキーワードに対応する放送コンテンツを検索する検索手段と、検索手段による検索結果を基に、入力されたキーワードに対応する放送コンテンツを示す検索結果情報を生成する第１の生成手段と、第１の入出力手段により入力された、検索結果情報に基づく放送コンテンツの録画を依頼する録画依頼情報を示す録画依頼メッセージを基に、第２の記録手段により記録された放送コンテンツ情報から所定の放送コンテンツに対応する放送コンテンツ情報を抽出し、録画再生装置を制御して放送コンテンツを録画させるための録画リストを生成する第２の生成手段とを備え、録画再生装置が、情報処理装置との情報を授受する第２の入出力手段と、第２の入出力手段により入力された、検索結果情報を表示する表示手段と、表示手段により表示された検索結果情報を参照してユーザが行う操作を示す信号を入力する入力手段と、放送コンテンツを取得する取得手段と、第２の入出力手段により入力された録画リストに従って、取得手段により取得された放送コンテンツの録画を実行する録画手段とを備えることを特徴とする。
【００２０】
本発明の情報処理装置および情報処理方法においては、録画再生装置との情報が授受され、複数のキーワードと、キーワードに対応するコマーシャルを含む放送コンテンツの放送コンテンツＩＤ、およびキーワードと放送コンテンツの関連の強さを示す関連度からなる関連放送コンテンツ情報とが記録され、放送コンテンツの放送コンテンツＩＤ、録画する放送コンテンツを取捨選択するための優先度、放送チャンネル、開始時間、および終了時間を含む放送コンテンツ情報が記録され、複数のキーワードおよび関連放送コンテンツ情報を参照して、入力されたキーワードに対応する放送コンテンツが検索され、検索結果を基に、入力されたキーワードに対応する放送コンテンツを示す検索結果情報が生成され、入力された、検索結果情報に基づく放送コンテンツの録画を依頼する録画依頼情報を示す録画依頼メッセージを基に、放送コンテンツ情報から所定の放送コンテンツに対応する放送コンテンツ情報が抽出され、録画再生装置を制御して放送コンテンツを録画させるための録画リストが生成される。
【００２１】
本発明の録画再生装置および録画再生方法においては、情報処理装置との情報が授受され、入力された検索結果情報が表示され、表示された検索結果情報を参照してユーザが行う操作を示す信号が入力され、入力されたユーザの操作を示す信号を基に、情報処理装置に送信するための録画依頼情報を示す録画依頼メッセージが生成され、コマーシャルを含む放送コンテンツが取得され、入力された放送コンテンツを録画させるための録画リストに従って、取得された放送コンテンツの録画が実行される。
【００２２】
本発明のサービス提供システムにおいては、情報処理装置で、録画再生装置との情報が授受され、複数のキーワードと、キーワードに対応するコマーシャルを含む放送コンテンツの放送コンテンツＩＤ、およびキーワードと放送コンテンツの関連の強さを示す関連度からなる関連放送コンテンツ情報とが記録され、放送コンテンツの放送コンテンツＩＤ、録画する放送コンテンツを取捨選択するための優先度、放送チャンネル、開始時間、および終了時間を含む放送コンテンツ情報が記録され、記録されている複数のキーワードおよび関連放送コンテンツ情報を参照して、入力されたキーワードに対応する放送コンテンツが検索され、検索結果を基に、入力されたキーワードに対応する放送コンテンツを示す検索結果情報が生成され、入力された検索結果情報に基づく放送コンテンツの録画を依頼する録画依頼情報を示す録画依頼メッセージを基に、放送コンテンツ情報から所定の放送コンテンツに対応する放送コンテンツ情報が抽出され、録画再生装置を制御して放送コンテンツを録画させるための録画リストが生成され、録画再生装置で、情報処理装置との情報が授受され、入力された、検索結果情報が表示され、表示された検索結果情報を参照してユーザが行う操作を示す信号が入力され、入力されたユーザの操作を示す信号を基に、情報処理装置に送信するための録画依頼情報を示す録画依頼メッセージが生成され、放送コンテンツが取得され、入力された録画リストに従って、取得された放送コンテンツの録画が実行される。
【００２３】
【発明の実施の形態】
以下、図を参照して、本発明の実施の形態について説明する。
【００２４】
図１は、サーバ１の構成を示すブロック図、および、サーバ１と視聴者が有する端末装置２との接続を示すための図である。
【００２５】
図１に示されるように、サーバ１と端末装置２は、インターネット３を介して接続されている。本実施例においては、サーバ１はＷｅｂサーバであり、端末装置２にはＷｅｂブラウザが搭載されているものとする。
【００２６】
入出力部１１は、サーバ１と端末装置２間のデータの送受信を行う。サーバ１から端末装置２に送信されるデータには、ＨＴＭＬドキュメントと録画リスト（後述）等があり、端末装置２から送信され、サーバ１が受信するデータには、視聴者の検索要求や録画依頼メッセージ（後述）等がある。
【００２７】
キーワード検索エンジン１２は、キーワード情報記録部１５に保持されているキーワード情報から、視聴者が要求したキーワードと一致するものを検索し、視聴者が要求したキーワードとそれに関連する放送コンテンツ情報を抽出する機能を有する。
【００２８】
表示用データ生成部１３は、検索結果等を、端末装置２のディスプレイ６３（図６）に表示されるＷｅｂブラウザの表示画面に表示させるためのＨＴＭＬドキュメントを生成する。
【００２９】
録画リスト生成部１４は、視聴者から録画依頼のあった放送コンテンツを端末装置２に録画させるための録画リストを作成する。また、録画リスト生成部１４は、関連コンテンツ自動録画を依頼した視聴者に、新たな録画リストを送る必要がないか否かを定期的に確認し、適時新たな録画リストを生成して視聴者に送信する。
【００３０】
キーワード情報記録部１５には、各キーワードとそれに関する情報が記録されている。各キーワード情報には、少なくともキーワードＩＤと、そのキーワードに関連する放送コンテンツが関連付けられて含まれる。
【００３１】
キーワード情報記録部１５に記録されているキーワード情報の形式を図２に示す。図２においては、各キーワード情報および放送コンテンツは、図３の放送コンテンツテーブルと関連づけられている。放送コンテンツテーブルは、キーワード毎に用意され、各放送コンテンツテーブルには、「放送コンテンツＩＤ」と、放送コンテンツとキーワードの関連の強さを表す「関連度」が記録されている。「関連度」を視聴者に公開することにより、視聴者が録画する放送コンテンツを選択する際に参考にしてもらうようにしてもよい。
【００３２】
放送コンテンツ情報記録部１６には、放送コンテンツに関する情報が記録されている。各放送コンテンツ情報には、少なくとも「放送コンテンツＩＤ」、「放送チャンネル」、「開始時間」、「終了時間」が関連づけられて含まれている。
【００３３】
放送コンテンツ情報記録部１６に記録される放送コンテンツ情報の記録形式を図４に示す。図４の放送コンテンツ情報においては、上述した各項目に加えて「優先度」情報が関連付けられている。放送時間の衝突や、端末装置２の記憶容量の制限等により、端末装置２に録画する放送コンテンツを取捨選択する必要が生じた場合、端末装置２のＣＰＵ５１は、この「優先度」を基に、録画する放送コンテンツを決定する。
【００３４】
なお、この優先度情報は、例えば、特願2000−150726に記載されているような自動録画番組再生機能を有する装置において、優先度の高い放送コンテンツを優先的に自動再生し、視聴機会が増えるように設定するために用いられるようにしても良い。
【００３５】
視聴者録画依頼データ記録部１７には、視聴者の録画依頼に関する情報が記録されている。ただし、端末装置２から、後述する「特定コンテンツ録画」依頼を示す信号の入力を受けた場合、録画依頼があった時点で、対応する放送コンテンツを録画するための録画リストを生成し、端末装置２に送信して、処理が終了されるので、視聴者録画依頼データ記録部１７には、視聴者の録画依頼に関する情報を記録する必要はない。一方、端末装置２から、後述する「関連コンテンツ自動録画」依頼を示す信号の入力を受けた場合、録画依頼のあったキーワードに関連する、新たな関連放送コンテンツが追加される度に、新たな録画リストを生成して、端末装置２に配信する必要があるので、視聴者録画依頼データ記録部１７には、視聴者の録画依頼に関する情報が記録される。
【００３６】
視聴者録画依頼データ記録部１７には、図５に示されるような録画依頼情報記録形式で、録画を依頼した視聴者を特定するための視聴者ＩＤ、その視聴者が所有する端末装置２のＩＰアドレス、録画したいキーワードのキーワードＩＤ、および、最後に録画リストが端末装置２に送信された日時が記録されている。
【００３７】
なお、図１においては、キーワード情報記録部１５、放送コンテンツ情報記録部１６、視聴者録画依頼データ記録部１７は、それぞれ別の記録装置のように記載されているが、サーバ１の構成としては、その２つ以上が同一の記録装置内に存在してもよい。
【００３８】
また、キーワード検索エンジン１２、表示用データ生成部１３、録画リスト生成部１４の機能は、全てが同一のコンピュータの上で実現されてもよく、また、ネットワークで接続された２つ以上のコンピュータに分散されて、実現されてもよい。
【００３９】
図６は、端末装置２の構成例を示すブロック図である。この端末装置２は、膨大な記憶容量を備えるＨＤＤ（Hard disk drive）５６に数多くの映像を録画することができるとともに、ユーザの意図を的確に把握して録画映像の保存管理に反映することができる。なお、端末装置２は、ＡＶ機器として実装することができ、例えば、セットトップボックス（ＳＴＢ）のようなテレビジョン受信機と一体で構成することができる。
【００４０】
図示しないアンテナで受信された放送波は、チューナ４１に供給される。放送波は、所定のフォーマットに基づいており、例えば、ＥＰＧ（Electronic Program Guide）データを含んでいても良い。放送波は、衛星放送波、地上波、有線、または無線の区別を特に問わない。
【００４１】
チューナ４１は、ＣＰＵ（Central Processing Unit）５１の制御に基づいて、所定チャネルの放送波のチューニングすなわち選局を行い、受信データを復調部４２に出力する。なお、送信されてくる放送波がアナログであるか、あるいは、デジタルであるかに応じて、チューナ４１の構成を適宜変更または拡張することができる。復調部４２は、デジタル変調されている受信データを復調し、デコーダ４３に出力する。
【００４２】
例えば、デジタル衛星放送の場合、チューナ４１により受信され、復調部４２により復調されたデジタルデータは、MPEG2方式で圧縮されたＡＶデータ、および、データ放送用データが多重化されているトランスポートストリームである。前者のＡＶデータは、放送コンテンツ本体を構成する映像データおよび音声データであり、後者のデータ放送用データは、この放送コンテンツ本体に付随するデータ（例えば、ＥＰＧデータ）を含むものである。
【００４３】
デコーダ４３は、復調部４２より供給されたトランスポートストリームを、MPEG２方式で圧縮されたＡＶデータとデータ放送用データ（例えば、ＥＰＧデータ）に分離する。分離されたデータ放送用データは、バス４９およびＨＤＤインターフェース（Ｉ／Ｆ）５５を介してＨＤＤ５６に供給され、保存される。
【００４４】
受信したコンテンツをそのまま出力することが指示されている場合、デコーダ４３は、ＡＶデータを、圧縮映像データと圧縮音声データに更に分離する。分離された音声データは、ＰＣＭ（Pulse Code Modulation）デコードされた後、ミキサ４５を介してスピーカ６２に出力される。また、分離された映像データは、伸張された後、コンポーザ４７を介してディスプレイ６３に出力される。
【００４５】
受信したコンテンツをＨＤＤ５６に録画することが指示されている場合、デコーダ４３は、分離する前のＡＶデータを、バス４９およびＨＤＤインターフェース５５を介して、ＨＤＤ５６に出力する。また、ＨＤＤ５６に録画されているコンテンツの再生が指示されている場合、デコーダ４３は、ＨＤＤインターフェース５５およびバス４９を介して、ＨＤＤ５６からＡＶデータの入力を受け、圧縮映像データと圧縮音声データに分離し、それぞれコンポーザ４７もしくはミキサ４５に出力する。
【００４６】
ＲＡＭ（Random Access Memory）４４は、デコーダ４３が行ったこれらの作業データを保存することができる。
【００４７】
コンポーザ４７は、必要に応じて、デコーダ４３より入力された映像データと、グラフィック処理コントローラ４８から入力された画像データとを合成して、ディスプレイ６３に出力する。ディスプレイ６３は、コンポーザ４７より供給された映像信号を表示（再生）する。スピーカ６２は、ミキサ４５より供給された音声信号を出力する。
【００４８】
Ｕ／Ｉ（ユーザインターフェース）制御部４６は、ユーザからの入力操作を処理するモジュールであり、例えば、ユーザにより、操作ボタンまたはスイッチから構成されるリモートコマンダ６１が操作されることにより、赤外線発光部（図示せず）から発光された操作信号（ＩＲ信号）を受光部４６ａで受光し、ＣＰＵ５１に出力する。
【００４９】
ＣＰＵ５１は、端末装置２全体の動作を制御するメインコントローラであり、オペレーティングシステム（ＯＳ）により提供されるプラットフォーム上で各種のアプリケーションを実行する。ＣＰＵ５１は、例えば、Ｕ／Ｉ制御部４６およびバス４９を介して、リモートコマンダ６１から入力された操作信号に基づいて、チューナ４１、復調部４２、デコーダ４３、ＨＤＤ５６などを制御することにより、コンテンツの録画または再生を実行する。
【００５０】
また、ＣＰＵ５１は、ＨＤＤ５６に記録されているＷｅｂブラウザソフトウェアをＲＡＭ５２にロードして実行する。
【００５１】
ＨＤＤ５６は、プログラムやデータなどを所定フォーマットのファイル形式で蓄積することができる、ランダムアクセスが可能な記憶装置であり、例えば、数十ＧＢ程度（または１００ＧＢ以上）の大容量を備えている。ＨＤＤ５６はまた、ＨＤＤインターフェース５５を介してバス４９に接続されており、デコーダ４３、もしくは通信制御部５０から、放送コンテンツ、および、ＥＰＧデータなどのデータ放送用データの入力を受け、これらの情報を記録するとともに、必要に応じて、記録されたデータを出力する。
【００５２】
また、ＨＤＤ５６は、インターネット３を介して、サーバ１と接続し、サーバ１から送信されたＨＴＭＬドキュメントを、ディスプレイ６３に表示させることができるＷｅｂブラウザソフトウェアを保存しており、ＣＰＵ５１の制御に従って、Ｗｅｂブラウザソフトウェアを、ＨＤＤインターフェース５５およびバス４９を介してＲＡＭ５２に出力する。
【００５３】
グラフィック処理コントローラ４８は、画像データを生成する専用コントローラであり、例えば、SVGA（Super Video Graphic Array）または、XGA（eXtended Graphic Array）相当の高精細な描画機能を備えている。グラフィック処理コントローラ４８は、例えば、ユーザが各種設定を入力することができるＧＵＩ（Graphical User Interface）操作画面などのデータを生成する。
【００５４】
通信制御部５０は、電話回線やケーブルなどによる有線または無線の通信を制御する。この通信制御部５０を介して、図１のサーバ１、もしくは、図示しない他のサーバシステムと通信を行うことにより、放送コンテンツ、あるいは、ＥＰＧデータの授受が行われる。通信制御部５０に入力された放送コンテンツは、バス４９を介してデコーダ４３に入力され、チューナ４１および復調部４２を介して入力された放送データと同様に処理される。また、通信制御部５０を介して、外部の機器と通信を行うことにより、例えば、地上波放送などのＥＰＧデータを含まないコンテンツに関するデータの入力を受けることができる。通信制御部５０に入力されたデータは、バス４９およびＨＤＤインターフェース５５を介して、ＨＤＤ５６に保存される。
【００５５】
ＲＡＭ（Random Access Memory）５２は、ＣＰＵ５１の実行プログラムをロードしたり、実行プログラムの作業データを書き込むために使用される、書き込み可能な揮発性メモリである。ＲＯＭ（Read Only Memory）５３は、端末装置２の電源オン時に実行する自己診断・初期化プログラムや、ハードウェア操作用の制御コードなどを格納する読み出し専用メモリである。
【００５６】
IEEE（The Institute of Electrical and Electronics Engineers）1394インターフェース（Ｉ／Ｆ）５４は、数１０MBps程度のデータ送受信が可能なシリアル高速インターフェースである。IEEE1394ポート５４ａには、IEEE1394対応のビデオカメラ６４が接続されている。
【００５７】
次に、図７乃至図１０を用いて、視聴者（すなわち、端末装置２の使用者）が、端末装置２を用いて、Ｗｅｂブラウザソフトウェアを起動し、Ｗｅｂブラウザを用いて、インターネット３を介して、サーバ１にアクセスすることにより、ディスプレイ６３に表示されているＷｅｂブラウザ上に表示される表示画面、および、その表示画面に表示される各種ボタンに対して、所定の操作（例えば、リモートコマンダ６１を用いて、表示される各種ボタンを選択する操作）を行った場合に表示される表示画面について説明する。
【００５８】
視聴者が、端末装置２を用いて、Ｗｅｂブラウザソフトウェアを起動し、Ｗｅｂブラウザを用いて、インターネット３を介して、サーバ１にアクセスすると、サーバ１は、図７に示す検索画面７１を、端末装置２のディスプレイ６３に表示させるためのＨＴＭＬドキュメントを、インターネット３を介して、端末装置２に送信する。端末装置２のＣＰＵ５１は、通信制御部５０から、バス４９を介して、ＨＴＭＬドキュメントの入力を受け、グラフィック処理コントローラ４８において所定の画像処理を実行させた後、バス４９、コンポーザ４７を介して、ディスプレイ６３に出力する。
【００５９】
視聴者は、このＨＴＭＬドキュメントによって表示される検索画面７１から、例えば、インターネット３上に公開されている従来の検索エンジンと同様の方法で、興味をもつキーワードを検索していく。例えば、芸能歌手「浜口あさこ」に関連したコンテンツを調べたい視聴者は、テキストボックス８１に、「浜口あさこ」と入力して、検索ボタン８２をクリックするか、「芸能人」と記載されているリンクボタン８３からキーワードのカテゴリ階層を辿っていく。
【００６０】
「浜口あさこ」の検索結果は、例えば、図８に示す検索結果表示画面９１として表示される。検索結果画面９１には、ユーザによって選択されたキーワード「浜口あさこ」と、それに対応する録画ボタン１０１が表示され、「浜口あさこ」に関連する放送コンテンツ名が列挙され、それぞれの放送コンテンツに対応する録画ボタン１０２乃至録画ボタン１０６が表示されている。
【００６１】
視聴者は、キーワード「浜口あさこ」の傍の録画ボタン１０１をクリックすることにより、そのキーワードに関連する放送コンテンツを自動的に端末装置２に録画するようサーバ１に依頼することができる。以下、このように、所定のキーワードに関係するコンテンツを全て自動的に録画する処理を、「関連コンテンツ自動録画」と述べる。サーバ１に対して、「関連コンテンツ自動録画」が依頼された後は、「浜口あさこ」に関連する放送コンテンツは自動的に視聴者の端末装置２に録画されるようになる。
【００６２】
また、視聴者は、列挙された各放送コンテンツ名の傍にある録画ボタン１０２乃至録画ボタン１０６のうち、所望の放送コンテンツに対応するものをクリックすることにより、所望の放送コンテンツを端末装置２に録画するようにサーバ１に依頼することができる。以下、このように、個別に指定されたコンテンツを録画する処理を、「特定コンテンツ録画」と述べる。
【００６３】
その他、視聴者が、図７の検索画面７１において、「新曲」と記載されているリンクボタン８４をクリックした場合、図９に示されるような検索結果表示画面１１１がディスプレイ６３に表示されているＷｅｂブラウザ上に表示される。検索結果表示画面１１１には、ユーザによって選択されたキーワードである「新曲情報」と、それに対応する録画ボタン１２１が表示され、「新曲情報」に関連する放送コンテンツ名が列挙され、それぞれの放送コンテンツに対応する録画ボタン１２２乃至録画ボタン１２９が表示されている。
【００６４】
図８を用いて説明した場合と同様に、図９において、ユーザによって録画ボタン１２１が選択された場合、サーバ１は、「関連コンテンツ自動録画」のための処理を実行し、ユーザによって録画ボタン１２２乃至１２９が選択された場合、サーバ１は、「特定コンテンツ録画」のための処理を実行する。
【００６５】
また、視聴者が、図７の検索画面７１において「Ａ社新社長にX氏」と記載されているリンクボタン８５をクリックすると、図１０に示されるような検索結果表示画面１４１が、ディスプレイ６３に表示されているＷｅｂブラウザに表示される。検索結果表示画面１４１においても、ユーザによって選択されたキーワードである「Ａ社新社長にX氏」と、それに対応する録画ボタン１５１が表示され、「Ａ社新社長にX氏」に関連する放送コンテンツ名が列挙され、それぞれの放送コンテンツに対応する録画ボタン１５２乃至録画ボタン１５５が表示されている。
【００６６】
図８および図９を用いて説明した場合と同様に、図１０においても、ユーザによって録画ボタン１５１が選択された場合、サーバ１は、「関連コンテンツ自動録画」のための処理を実行し、ユーザによって録画ボタン１５２乃至１５５が選択された場合、サーバ１は、「特定コンテンツ録画」のための処理を実行する。
【００６７】
次に、本発明を適応した、コンテンツ録画支援システムについて、サーバ１と端末装置２との情報の授受と、ぞれぞれの処理について説明する。ここでは、視聴者（すなわち、端末装置２の使用者）は芸能歌手「浜口あさこ」に興味があり、「浜口あさこ」に関連する放送コンテンツを録画したい場合について説明する。
【００６８】
まず、端末装置２を使用する視聴者は、端末装置２において、Ｗｅｂブラウザソフトウェアを起動させるための操作を、リモートコマンダ６１を用いて実行する。ＣＰＵ５１は、バス４９を介して、Ｕ／Ｉ制御部４６から入力される、視聴者の操作を示す信号の入力を受け、ＨＤＤ５６に保存されているＷｅｂブラウザソフトウェアを、ＨＤＤインターフェース５５およびバス４９を介して、ＲＡＭ５２にロードして、Ｗｅｂブラウザを起動し、インターネット３を介して、サーバ１に接続する。
【００６９】
サーバ１の入出力部１１は、表示用データ生成部１３から、図７を用いて説明した検索画面７１に対応するＨＴＭＬドキュメントを読み出し、インターネット３を介して、端末装置２に送信する。
【００７０】
端末装置２のＣＰＵ５１は、通信制御部５０から、バス４９を介して、図７を用いて説明した検索画面７１に対応するＨＴＭＬドキュメントの入力を受け、ディスプレイ６３のＷｅｂブラウザ上に、図７の検索画面７１を表示させるための処理を実行する。すなわち、グラフィック処理コントローラ４８において所定の画像処理を実行させた後、バス４９、およびコンポーザ４７を介して、ディスプレイ６３に出力して表示させる。
【００７１】
次に、視聴者は、ディスプレイ６３に表示された検索画面７１を参照して、所望するキーワードを検索する。例えば、視聴者が、リモートコマンダ６１を用いて、図７のテキストボックス８１に、「浜口あさこ」と入力して、検索ボタン８２をクリックした場合、ＣＰＵ５１は、バス４９を介して、Ｕ／Ｉ制御部４６から入力される、視聴者の操作を示す信号の入力を受け、バス４９、通信制御部５０、およびインターネット３を介して、サーバ１に検索要求メッセージを送信する（検索要求メッセージにはキーワードＩＤが含まれている）。
【００７２】
サーバ１の入出力部１１は、検索要求メッセージの入力を受け、検索要求メッセージを、キーワード検索エンジン１２に出力する。キーワード検索エンジン１２は、検索要求メッセージに含まれるキーワードＩＤを基に、キーワード情報記録部１５から「浜口あさこ」を検索し、表示用データ生成部１３に出力する。表示用データ生成部１３は、検索結果を表示するＨＴＭＬドキュメント（すなわち、図８を用いて説明した検索結果表示画面９１に対応するＨＴＭＬドキュメント）を生成し、入出力部１１に出力する。入出力部１１は、入力されたＨＴＭＬドキュメントを、インターネット３を介して、端末装置２に送信する。
【００７３】
そして、端末装置２のＣＰＵ５１は、通信制御部５０から、バス４９を介して、検索結果表示画面９１に対応するＨＴＭＬドキュメントを受信し、上述した処理と同様の処理を実行して、Ｗｅｂブラウザに図８の検索結果表示画面９１を表示させる。
【００７４】
続いて、視聴者は、図８の検索結果表示画面９１を参照して、リモートコマンダ６１を用いて、所望する録画ボタン１０１乃至１０６のうちのいずれかを選択することにより、特定コンテンツ録画あるいは関連コンテンツ自動録画を、サーバ１に依頼する。
【００７５】
以下、視聴者が、特定コンテンツ録画を依頼した場合の処理、および、関連放送コンテンツ自動録画を依頼した場合の処理について説明する。
【００７６】
まず、特定コンテンツ録画を依頼した場合の処理について説明する。ここでは視聴者が、図８の検索結果表示画面９１に表示されている放送コンテンツ「ミュージック×××」を録画したい場合について説明する。
【００７７】
視聴者は、リモートコマンダ６１を用いて、図８の録画ボタン１０２をクリックする。ＣＰＵ５１は、バス４９を介して、Ｕ／Ｉ制御部４６から入力される、視聴者の操作を示す信号の入力を受け、バス４９、通信制御部５０、およびインターネット３を介して、サーバ１に、放送コンテンツ「ミュージック×××」の録画を依頼するメッセージを送信する（録画依頼メッセージには「ミュージック×××」の放送コンテンツＩＤが含まれている）。
【００７８】
サーバ１の入出力部１１は、録画依頼メッセージの入力を受け、録画リスト生成部１４に出力する。録画リスト生成部１４は、放送コンテンツ情報記録部１６に記録されている、図４を用いて説明したコンテンツ情報を参照して、例えば、図１１に示されるような、放送コンテンツ「ミュージック×××」を録画するための録画リストを生成する。このリストには、少なくとも放送コンテンツのチャンネル、録画開始時間、録画終了時間が含まれる。また、録画リストには、上述した「優先度」情報を含ませるようにしてもよい。録画リスト生成部１４は、入出力部１１に、生成した録画リストを出力し、入出力部１１は、入力された録画リストを、インターネット３を介して、端末装置２に送信する。
【００７９】
端末装置２のＣＰＵ５１は、通信制御部５０から、バス４９を介して、録画リストの入力を受け、録画リストに従って、録画処理（もしくは録画予約設定処理）を行う。
【００８０】
また、視聴者が、データ量の少ないＣＭ放送コンテンツ（例えば、図８の検索結果表示画面９１において検索結果として出力されている「△△セルラー東京＆東海」や「××ファンデーション」）の録画を依頼した場合（すなわち、録画ボタン１０５もしくは録画ボタン１０６が選択された場合）、サーバ１は、録画リストを送信する代わりに、映像データおよび音声データを含む、コンテンツデータを送信する。コンテンツデータを受信した端末装置２は、受信したコンテンツデータを、録画リストに基づいて録画された放送コンテンツと同様に処理し、ＨＤＤ５６に録画する。
【００８１】
次に、視聴者が、関連コンテンツ自動録画を依頼した場合について説明する。
【００８２】
視聴者は、リモートコマンダ６１を用いて、図８の録画ボタン１０１をクリックする。ＣＰＵ５１は、バス４９を介して、Ｕ／Ｉ制御部４６から入力される、視聴者の操作を示す信号の入力を受け、バス４９、通信制御部５０、およびインターネット３を介して、サーバ１に、「今後、「浜口あさこ」に関連する放送コンテンツは自動的に録画する」ことを依頼するメッセージを送信する（メッセージには、視聴者ＩＤ、端末装置２のＩＰアドレス、キーワードＩＤが含まれる）。
【００８３】
サーバ１の入出力部１１は、関連コンテンツ自動録画の依頼メッセージの入力を受け、視聴者録画依頼データ記録部１７に出力する。視聴者録画依頼データ記録部１７は、「浜口あさこ」に関連する放送コンテンツを録画するための録画依頼情報を、図５を用いて説明した録画依頼情報記録形式に従って登録する。
【００８４】
録画リスト生成部１４は、視聴者録画依頼データ記録部１７に記録されている録画依頼情報、および、放送コンテンツ情報記録部１６に記録されている、図４を用いて説明した放送コンテンツ情報を参照して、現時点で「浜口あさこ」に関連があることが判明している放送コンテンツ（すなわち、図８に示される５つの放送コンテンツ）を、端末装置２に録画させるための録画リストを作成し、入出力部１１およびインターネット３を介して、端末装置２に送信する。また、録画リスト生成部１４は、視聴者録画依頼データ記録部１７に記録されている、録画依頼情報の「更新時刻」欄に送信時間を記録する。
【００８５】
端末装置２に送信された録画リストの例を図１２に示す。図１２に示されるように、データ量の少ないＣＭ放送コンテンツに対しては、チャンネル欄に、コンテンツが放送されるチャンネルではなく、「ダウンロード」と記載され、開始時間、終了時間は記載されていない。すなわち、ＣＭ放送コンテンツは、上述した特定コンテンツ録画の場合と同様に、サーバ１から、端末装置２に、ＣＭ放送に対応する放送コンテンツが送信されるようになされる。
【００８６】
端末装置２のＣＰＵ５１は、通信制御部５０から、バス４９を介して、録画リストの入力を受け、録画リストに従って、録画処理（もしくは録画予約設定処理）を行う。
【００８７】
これ以降、サーバ１の録画リスト生成部１４は、「浜口あさこ」に関連する放送コンテンツが新たに追加されていないか否かを検出するために、キーワード情報記録部１５を定期的にチェックし、対応するキーワードに関連する放送コンテンツが追加されている場合は、適時新たな録画リスト（あるいは、追加されたコンテンツがＣＭである場合は、映像データおよび音声データを含むコンテンツデータ）を作成して、入出力部１１およびインターネット３を介して、対応する視聴者が有する端末装置２に送信する。新たな録画リスト（もしくはコンテンツデータ）を送信した場合、録画リスト生成部１４は、視聴者録画依頼データ記録部１７に記録されている、録画依頼情報の「更新時刻」欄の値を更新する。
【００８８】
以上説明した処理を実行することにより、視聴者は、興味をもつ情報に関連ある放送コンテンツを効率的に知ることができ、単純な作業で所望する放送コンテンツを録画したり（特定コンテンツ録画）、一度の単純な作業で、所望する情報を含む放送コンテンツを、自動的に録画する（関連コンテンツ自動録画）ことができるようになる。
【００８９】
また、サーバ１が、管理する各放送コンテンツに対して「優先度」の情報を関連させることで、サーバ１や端末装置２は、視聴者が各放送コンテンツを視聴する機会を制御することができる。例えば、特願2000−150726に記載されているような自動録画番組再生機能を有する装置においては、「優先度」情報を参照することにより、優先度の高い放送コンテンツを優先的に自動再生することができるようにしても良い。このことにより、優先度の高い放送コンテンツの視聴機会を増やすことが可能となる。
【００９０】
更に、本システムにおいては、従来の録画代行（録画支援）サービスでは不可能であった、ＣＭ単位の録画も可能とする。そして本システムは、そのＣＭに興味をもつ可能性が高い視聴者の端末装置２に、対応するＣＭを録画させる手段を提供するので、ＣＭの広告効果を高めることができる。例えば、サーバ１は、新車のＣＭを、キーワード「新車」に関連付けられた放送コンテンツとして管理し、キーワード「新車」関連のコンテンツの録画依頼をした視聴者の端末機２に、それらを録画させることができる。この場合、キーワード「新車」に興味を持ち、録画を依頼した視聴者は、その他の視聴者に比べて、新車のＣＭに対しても関心が高く、それらを購買する可能性も高いといえる。
【００９１】
なお、本明細書において、システムとは、複数の装置により構成される装置全体を表すものである。
【００９２】
【発明の効果】
本発明の情報処理装置および情報処理方法によれば、録画再生装置との情報を授受し、複数のキーワードと、キーワードに対応するコマーシャルを含む放送コンテンツの放送コンテンツＩＤ、およびキーワードと放送コンテンツの関連の強さを示す関連度からなる関連放送コンテンツ情報とを記録し、放送コンテンツの放送コンテンツＩＤ、録画する放送コンテンツを取捨選択するための優先度、放送チャンネル、開始時間、および終了時間を含む放送コンテンツ情報を記録し、複数のキーワードおよび関連放送コンテンツ情報を参照して、入力されたキーワードに対応する放送コンテンツが検索され、検索結果を基に、入力されたキーワードに対応する放送コンテンツを示す検索結果情報を生成し、入力された検索結果情報に基づく放送コンテンツの録画を依頼する録画依頼情報を示す録画依頼メッセージを基に、放送コンテンツ情報から所定の放送コンテンツに対応する放送コンテンツ情報を抽出し、録画再生装置を制御して放送コンテンツを録画させるための録画リストを生成するようにしたので、視聴者が簡単な操作を実行するだけで、視聴者の要求に基づいた放送コンテンツの検索・録画支援サービスを提供することができる。
【００９３】
本発明の録画再生装置および録画再生方法によれば、情報処理装置との情報を授受し、入力された検索結果情報を表示し、表示された検索結果情報を参照してユーザが行う操作を示す信号を入力し、入力されたユーザの操作を示す信号を基に、情報処理装置に送信するための録画依頼情報を示す録画依頼メッセージを生成し、コマーシャルを含む放送コンテンツを取得し、入力された放送コンテンツを録画させるための録画リストに従って、取得された放送コンテンツの録画を実行するようにしたので、視聴者が簡単な操作を実行するだけで、視聴者の要求に基づいた放送コンテンツを録画することができる。
【００９４】
本発明のサービス提供システムによれば、情報処理装置が、録画再生装置との情報を授受し、複数のキーワードと、キーワードに対応するコマーシャルを含む放送コンテンツの放送コンテンツＩＤ、およびキーワードと放送コンテンツの関連の強さを示す関連度からなる関連放送コンテンツ情報とを記録し、放送コンテンツの放送コンテンツＩＤ、録画する放送コンテンツを取捨選択するための優先度、放送チャンネル、開始時間、および終了時間を含む放送コンテンツ情報を記録し、記録されている複数のキーワードおよび関連放送コンテンツ情報を参照して、入力されたキーワードに対応する放送コンテンツを検索し、検索結果を基に、入力されたキーワードに対応する放送コンテンツを示す検索結果情報を生成し、入力された検索結果情報に基づく放送コンテンツの録画を依頼する録画依頼情報を示す録画依頼メッセージを基に、放送コンテンツ情報から所定の放送コンテンツに対応する放送コンテンツ情報を抽出し、録画再生装置を制御して放送コンテンツを録画させるための録画リストを生成し、録画再生装置が、情報処理装置との情報を授受し、入力された検索結果情報を表示し、表示された検索結果情報を参照してユーザが行う操作を示す信号を入力し、入力されたユーザの操作を示す信号を基に、情報処理装置に送信するための録画依頼情報を示す録画依頼メッセージを生成し、放送コンテンツを取得し、入力された録画リストに従って、取得された放送コンテンツの録画を実行するようにしたので、視聴者が簡単な操作を実行するだけで、視聴者の要求に基づいた放送コンテンツの検索・録画支援サービスを提供することができる。
【図面の簡単な説明】
【図１】本発明を適応した録画支援システムのサーバの構成について説明するための図である。
【図２】図１のキーワード情報記録部に記録されるキーワード情報の記録形式について説明するための図である。
【図３】図１のキーワード情報記録部に記録されるキーワード情報に対応する放送コンテンツテーブルについて説明するための図である。
【図４】図１の放送コンテンツ情報記録部に記録されているコンテンツ情報の記録形式について説明するための図である。
【図５】図１の視聴者録画依頼データ記録部に記録されている録画依頼情報の記録形式について説明するための図である。
【図６】図１の端末装置の構成を示すブロック図である。
【図７】検索画面について説明するための図である。
【図８】検索結果表示画面について説明するための図である。
【図９】検索結果表示画面について説明するための図である。
【図１０】検索結果表示画面について説明するための図である。
【図１１】録画リストについて説明するための図である。
【図１２】録画リストについて説明するための図である。
【符号の説明】
１  サーバ，  ２  端末装置，  ３  インターネット，  １１  入出力部，  １２  キーワード検索エンジン，  １３  表示用データ生成部，  １４  録画リスト生成部，  １５  キーワード情報記録部，  １６  放送コンテンツ情報記録部，  １７  視聴者録画依頼データ記録部，  ５０  通信制御部，  ５１  ＣＰＵ，  ６１  リモートコマンダ，  ６３  ディスプレイ，  ７１  検索画面，  ９１  検索結果表示画面，  １０１乃至１０６  録画ボタン，  １１１  検索結果表示画面，  １２１乃至１２９  録画ボタン，  １４１  検索結果表示画面，１５１乃至１２５  録画ボタン
【図１】
0004556080.tif 000002
【図２】
0004556080.tif 000003
【図３】
0004556080.tif 000004
【図４】
0004556080.tif 000005
【図５】
0004556080.tif 000006
【図６】
0004556080.tif 000007
【図７】
0004556080.tif 000008
【図８】
0004556080.tif 000009
【図９】
0004556080.tif 000010
【図１０】
0004556080.tif 000011
【図１１】
0004556080.tif 000012
【図１２】
0004556080.tif 000013